(57)【要約】【課題】天井高さの調整代を大きくすることができると共に、天井高さの調整作業を容易に行うことができ、また、天井下地の施工にかかる工期を短縮することができると共に作業の軽減化を図ることができる天井高さ調整具を提供することを目的とする。【解決手段】一方のボルトと他方のボルトとが互いに螺合状態で挿入される挿入部２と、この挿入部２の内面に形成され、一方及び他方のボルトの螺子部分に係合する抜止部３とを備えた。天井高さ調整具１は、挿入部２内において一方及び他方のボルトが互いに螺合し、かつ抜止部３とこれらボルトのそれぞれの螺子部分に係合しているから、互いのボルトの結合は非常に強固でありながら、天井高さ調整が容易に行え、さらに一方と他方のボルトとを用いるので調整代を大きくすることができる。【選択図】        図１
2004176275.tif 000002
【特許請求の範囲】
【請求項１】
天井スラブと天井化粧板までの距離を調整する天井高さ調整具において、一方のボルトと他方のボルトとが互いに螺合状態で挿入される挿入部と、この挿入部の内面に形成され、一方及び他方のボルトの螺子部分に係合する抜止部とを備えたことを特徴とする天井高さ調整具。
【請求項２】
挿入部の内外面を貫通した窓部を形成したことを特徴とする請求項１記載の天井高さ調整具。
【請求項３】
一方及び他方のボルトの挿入部内での移動を規制するための移動規制部を該挿入部内の内面に形成したことを特徴とする請求項１又は２記載の天井高さ調整具。
【請求項４】
天井スラブに天井化粧板を取り付ける前に行う天井下地施工法において、天井スラブに一方のボルトを取り付け、予めハンガーと一体とした他方のボルトの該ハンガーを取り付けた側と反対の端部を、一方のボルトの天井スラブと反対の端部に対して天井高さ調整具を用いて結合し、該天井高さ調整具により天井スラブと天井化粧板までの距離を調整した後、前記ハンガーに野縁受けを取り付け、野縁受けに野縁を取り付けることを特徴とする天井下地施工法。
【発明の詳細な説明】
【０００１】
【発明の属する技術分野】
本発明は、天井スラブと天井化粧板までの距離（以下、「天井高さ」という）を大きく調整することができ、かつこの天井高さ調整作業が容易に行え、また、天井下地の施工工期を短縮することができると共に、作業の軽減化を図ることができる天井高さ調整具及び天井下地施工法に関するものである。
【０００２】
【従来の技術】
天井下地工事を行う場合は、一般的には以下の手順によって行われる。
（１）天井の仕上がり高さ（天井化粧板の水平高さ）を確認するために、天井材料を構成する部材を吊り下げる吊りボルトを天井スラブからどの程度露出させるかを計測する。
（２）作業用の足場を組み立てる。
（３）天井スラブに螺入する前の吊りボルトと、後述する野縁受けを受ける調整ハンガーとを、該吊りボルトの一端を該調整ハンガーの上端に螺入させることにより一体にする。
【０００３】
（４）天井仕上がり高さの基準となる高さを計測して壁面に墨付けする。（５）上記した（３）で一体とされた吊りボルトと調整ハンガーとを、吊りボルトの他端を天井スラブに予め埋め込み打設された雌螺子に螺入することで取り付ける。（６）調整ハンガーに野縁受けを取り付ける。（７）野縁受けに野縁を取り付ける。（８）調整ハンガーに対する吊りボルトの螺入出を調整して天井仕上がり高さを調整する。（９）足場を撤収し、廃材や材料を片付ける。
【０００４】
【発明が解決しようとする課題】
しかしながら、従来の手順は、（８）において天井高さを調整するために、調整ハンガーに対する吊りボルトの螺入出を調整しているため、以下の問題があった。すなわち従来は、吊りボルトの下端が調整ハンガーから抜けることを防止するために通常５０ｍｍくらい余分に螺入させていたので、天井高さ調整を行うための調整代が±２５ｍｍしかないといった問題があった。
【０００５】
つまり、吊りボルトを調整ハンガーに対して２５ｍｍより螺出（−２５ｍｍ）させると、該吊りボルトの下端における調整ハンガーへの螺入部分が２５ｍｍ程度となり安全性に問題が生じる。また、吊りボルトを調整ハンガーに対して２５ｍｍより螺入（＋２５ｍｍ）させようとしても、該吊りボルトの下端が野縁に接触してそれ以上の調整ができない場合があると共に、無理に螺入すると野縁や天井化粧板を損傷する可能性がある。
【０００６】
また、仮に調整代を大きくするために、例えば吊りボルトを長くして調整ハンガーに対する螺入部分を大きくしても、螺出方向（−方向）の調整代は大きくできるものの、螺入方向（＋方向）の調整代が大きくできない。
【０００７】
さらに、仮に吊りボルト螺入部分から野縁までの距離を大きくした調整ハンガーを用いた場合は、吊りボルトと調整ハンガーとの関係のみについて見れば確かに調整代を大きくすることができるものの、天井化粧板の裏面側のスペースとの関係で見れば、上記したように単に吊りボルトが長くなったと同じであり、結果的に上記同様の問題が生じると共に、調整ハンガーの重量が大きくなるから耐荷重性に問題が生じることとなる。
【０００８】
以上の理由により、従来では調整代が非常に小さく、その結果（１）の段階で極めて正確に吊りボルト計測を行っておく必要があった。そして、吊りボルト計測を正確に行うには、熟練作業者によらなければならず、また、熟練作業者であっても非常に時間がかかるといった問題がある。さらには、そのように熟練作業者が吊りボルト計測を行った場合であっても、（８）の段階で調整が必要となり、また、この調整に多くの時間を費やしていた。
【０００９】
また、従来の手順では、調整代が小さいので、吊りボルトの寸法が天井スラブの形状や天井高さの高低の変化に対応できず、該吊りボルトの寸法が足りない場合があり、さらに、天井高さが変更になった場合には用意した吊りボルトが使用できなくなる場合があるといった問題もあった。
【００１０】
本発明は、上記の問題を解決するものであり、天井高さの調整代を大きくすることができると共に、天井高さの調整作業を容易に行うことができ、また、天井下地の施工にかかる工期を短縮することができると共に作業の軽減化を図ることができる天井高さ調整具及び天井下地施工法を提供することを目的とする。
【００１１】
【課題を解決するための手段】
上記の目的を達成するために、本発明の天井高さ調整具は、一方のボルトと他方のボルトとが互いに螺合状態で挿入される挿入部と、この挿入部の内面に形成され、一方及び他方のボルトの螺子部分に係合する抜止部とを備えたのである。このようにすることで、天井高さは一方のボルトに対する他方のボルトとの螺入出によって行うことができる。従って調整ハンガーから吊りボルトが抜けたり、調整ハンガーにおいて吊りボルトが野縁に接触したりすることに起因した調整代が小さいという問題が解消される。
【００１２】
【発明の実施の形態】
本発明の天井高さ調整具は、天井スラブと天井化粧板までの距離を調整する天井高さ調整具において、一方のボルトと他方のボルトとが互いに螺合状態で挿入される挿入部と、この挿入部の内面に形成され、一方及び他方のボルトの螺子部分に係合する抜止部とを備えたものである。
【００１３】
上記構成において、天井高さ調整具は、挿入部内において一方のボルトと他方のボルトとが互いに螺合し、かつ抜止部がこれら一方と他方のボルトのそれぞれの螺子部分に係合しているので、互いの結合は非常に強固（調査したところ１０００ｋｇの垂直荷重に耐える）となると共に、そのように強固に結合した状態で天井高さ調整が容易に行える。
【００１４】
また、一方のボルトと他方のボルトとを用いるので、従来のように調整ハンガーから吊りボルトが抜けたり、調整ハンガーにおいて吊りボルトが野縁に接触したりすることに起因した調整代が小さいという問題は生じず、調整代を大きくすることができる。
【００１５】
また、本発明の天井高さ調整具は、上記構成において、挿入部の内外面を貫通した窓部を形成することで、一方と他方のボルトの螺合状態や螺合位置を確認することができる。本発明の天井高さ調整具は、上記したように調整代を大きくすることができるが、一方のボルトに対して他方のボルトが螺出する方向に大きく調整した場合、一方のボルトに対する他方のボルトの螺合部分が非常に小さくなる可能性がある。
【００１６】
このとき、上記窓を形成しておけば、螺合状態や螺合位置を確認することができるので、一方のボルトに対する他方のボルトの螺合部分が非常に小さい場合は、それなりの対処が可能となり安全に使用することができると共に、どの程度調整したかを容易に把握することもできる。
【００１７】
また、本発明の天井高さ調整具は、上記構成において、一方及び他方のボルトの挿入部内での移動を規制するための移動規制部を該挿入部内の内面に形成することで、一方のボルトに対して他方のボルトが螺出する方向に大きく調整して螺合部分が非常に小さくなった場合に、挿入部内にある一方（又は他方）のボルトが水平方向に移動することがなく、天井下地の水平方向の安定性が維持できる。
【００１８】
上記した本発明の天井高さ調整具は、本発明の天井下地施工法に用いて好適である。本発明の天井下地施工法は、天井スラブに一方のボルトを取り付け、予めハンガーと一体とした他方のボルトの該ハンガーを取り付けた側と反対の端部を、一方のボルトの天井スラブと反対の端部に対して天井高さ調整具を用いて結合し、前記天井高さ調整具により天井高さを調整した後、前記ハンガーに野縁受けを取り付け、野縁受けに野縁を取り付けるものである。
【００１９】
本発明の天井下地施工法は、上記した本発明の天井高さ調整具の作用効果に起因して、従来熟練作業者により精度よく行う必要があった（１）の天井仕上がり高さを確認するために、吊りボルトを天井スラブからどの程度露出させるか計測する作業を省略することができる。
【００２０】
すなわち、本発明の天井下地施工法は、本発明の天井高さ調整具によって調整代を大きくすることができるので、一方のボルトの天井スラブからの露出量が大雑把であってもよく、従ってこの作業が不要となる。さらに、熟練作業者でなくてもよいのである。
【００２１】
そして、従来（１）の作業を省略し、一方のボルトを天井スラブから大雑把に露出させた状態で取り付けておいても、本発明の天井高さ調整具による大きな調整代でもって天井高さ調整作業が簡便でかつ精度よく行えるから、天井下地施工の全体作業時間を短縮することができる。
【００２２】
【実施例】
以下に本発明の天井高さ調整具及び天井下地施工法の実施例について図面を参照して説明する。
図１及び図２は、本発明の天井高さ調整具を示す。図３は本発明の天井下地施工法によって施工した天井下地を示す。図４及び図５は、本発明の天井高さ調整具の他の構成を示す。
【００２３】
図１〜図３において、１は、天井スラブＰと天井化粧板Ｔまでの距離を調整する天井高さ調整具であり、以下の構成とされる。天井高さ調整具１は、本実施例では例えば１枚の板状部材の中央部を、天井スラブにその一端が取り付けられる吊りボルトＢ１（一方のボルト）と後述するハンガーＱにその一端が取り付けられるセットボルトＢ２（他方のボルト）との他端同士を互いに螺合させて囲うことができる略長円状に折り曲げて挿入部２を形成している。
【００２４】
挿入部２の内側には、螺合状態で挿入された吊りボルトＢ１とセットボルトＢ２とがその軸方向（以下、垂直方向という）に移動して挿入部２から抜けないようにするための抜止部３が形成されている。
【００２５】
抜止部３は、本実施例では、吊りボルトＢ１とセットボルトＢ２が挿入される挿入部２の各位置において、該挿入部２内面の対向面のそれぞれに、垂直方向両端と中央の３箇所、全体で計１２箇所に設けている。
【００２６】
また、挿入部２の例えば上記抜止部３が形成された箇所とは異なる周面には、該挿入部２の内外面を貫通する窓部４が形成されている。この窓部４を設けることで、後述するように吊りボルトＢ１とセットボルトＢ２とを螺合させた状態で板状部材を折り曲げる際に、折り曲げを容易にすることができると共に、挿入部２内において吊りボルトＢ１とセットボルトＢ２の螺合状態及び螺合位置を確認することができる。
【００２７】
また、挿入部２における窓部４の垂直方向の周囲に目盛りを付しておいてもよい。このようにすれば、吊りボルトＢ１とセットボルトＢ２の螺合位置をさらに正確に把握することができ、後述する天井高さの調整がより容易となる。
【００２８】
さらに、天井高さ調整具１は、本実施例では例えば上記板状部材の両端部の内側を互いに平行に重ね、この重ねた部分に所定の径の螺子孔１Ａを形成している。この螺子孔１Ａは、本実施例では使用する螺子１Ｂの径より小さい径とされ、螺子１Ｂを螺入させることで該螺子１Ｂの径に鍛造される。このようにすることで、天井高さ調整具１は、螺子１Ｂに対するナットが不要となる。
【００２９】
次に、上記構成の天井高さ調整具１を使用状況について説明する。天井高さ調整具１は、以下の手順の本発明の天井下地施工法に用いて好適である。
▲１▼足場を組み立てる。
▲２▼例えばレーザー墨出し器を用いて天井高さの水平レベルを決定する。
▲３▼矩計図に基づいて吊りボルトＢ１の一端を天井スラブＰに取り付ける。
▲４▼予めセットボルトＢ２の一端を取り付けて一体とされたハンガーＱにおける該セットボルトＢ２の他端と、吊りボルトＢ１の他端とを天井高さ調整具１によって結合する。
【００３０】
ここで天井高さ調整具１は、図２に示すように、挿入部２に、吊りボルトＢ１とセットボルトＢ２とを螺入状態で挿入する。本実施例における天井高さ調整具１は、使用前の状態では、板状部材の両端部が開放された状態とされる。そして、天井高さ調整具１は、使用時に、吊りボルトＢ１とセットボルトＢ２の他端同士を螺合させるように重ね、その状態で吊りボルトＢ１とセットボルトＢ２の軸方向と直交する方向（以下、水平方向という）から挿入部２へ該吊りボルトＢ１とセットボルトＢ２を挿入する。
【００３１】
このとき、天井高さ調整具１は、窓部４を形成しているので、作業者の手によって容易に折り曲げることができる。その後、螺子孔１Ａに螺子１Ｂを螺入して板状部材の両端部の対向面を接触させると、挿入部２内の空間が吊りボルトＢ１とセットボルトＢ２のみが収まる空間となり、抜止部３が吊りボルトＢ１とセットボルトＢ２の螺子部分に係合することになる。
【００３２】
このように、天井高さ調整具１は、吊りボルトＢ１とセットボルトＢ２が互いの螺子部分で係合し、挿入部２内の抜止部３と係合しているので、吊りボルトＢ１とセットボルトＢ２（と予め一体とされたハンガーＱ）とを強固に結合させることができると共に、天井高さ調整のためにセットボルトＢ２を吊りボルトＢ１に対して螺入出させることができる。また、このとき、天井高さ調整具１は、螺子孔１Ａが螺子１Ｂの径より小さくされ、螺子１Ｂに対するナットを要しないので、作業は簡便となる。
【００３３】
続いて▲５▼上記レーザー墨出し器による天井高さの水平レベルの照射光が、ハンガーＱに形成された基準孔を通過するように、天井高さ調整具１の挿入部２内においてセットボルトＢ２を吊りボルトＢ１に対して螺入出させて天井高さを調整する。
【００３４】
このとき、本発明の天井高さ調整具１及び本発明の天井下地施工法は、吊りボルトＢ１とハンガーＱとの間にセットボルトＢ２を介在させ、この吊りボルトＢ１に対するセットボルトＢ２の螺入出によって天井高さ調整を行うので、従来のように吊りボルトＢ１がハンガーＱから抜けたり、吊りボルトＢ１が野縁に接触したりすることに起因する調整代が小さいという問題が生じることはなく、天井高さの大幅な調整が可能となる。
【００３５】
そして、天井高さの大幅な調整が可能となることで、本発明の天井下地施工法は、従来のように（１）天井仕上がり高さを確認するために、吊りボルトＢ１を天井スラブＰからどの程度露出させるかを計測する作業を省略して足場を組み立てる作業（▲１▼）から開始することができると共に、熟練した作業者でなくても均一で精度の高い天井下地を施工することが可能である。
【００３６】
また、本実施例の天井高さ調整具１は、窓部４を形成しているので、吊りボルトＢ１に対するセットボルトＢ２の螺合状況と螺合位置とを確認することができ、上記▲５▼の作業は極めて容易かつ安全に行える。
【００３７】
すなわち仮に天井高さを吊りボルトＢ１に対してセットボルトＢ２が螺出する方向に大幅に調整する必要があった際には、挿入部２内においてセットボルトＢ２の吊りボルトＢ１に対する螺合部分が小さくなり抜けてしまう危険性があるが、窓部４によって螺合状況を把握しておけば、螺合部分が小さくなるような場合は長いセットボルトＢ２に取り換えるといった処置を施すことができる。
【００３８】
また、本実施例の天井高さ調整具１では採用していないが、窓部４の垂直方向の周囲に目盛りを付している場合は、例えばセットボルトＢ２を吊りボルトＢ１に対してどの程度螺入出させればよいか、又はどの程度螺入出したかが容易に把握でき、その結果▲５▼の作業はさらに容易となる。
【００３９】
続いて▲６▼ハンガーＱに野縁受けＴ１を取り付け、さらに▲７▼野縁受けＴ１に野縁Ｔ２を取り付け、その後、天井化粧板Ｔを野縁Ｔ２に取り付ける。このとき、必要があれば天井化粧板Ｔを野縁Ｔ２に取り付ける前に天井高さの微調整を行う。このとき、天井下地は図３のようになる。そして最後に、▲８▼足場を撤収し、廃材等を片付ける。
【００４０】
なお、▲６▼において必要があれば天井化粧板Ｔを野縁Ｔ２に取り付ける前に微調整を行うとしているが、通常、天井高さ調整具１を用いた上記手順においては、▲５▼において極めて高い精度で天井高さ調整が完了しているので、微調整はほとんど必要ない。
【００４１】
以下に、本発明の天井高さ調整具１を用いた本発明の天井下地施工法の効果について説明する。
まず、従来の手順によって１人で５０ｍ２  の天井下地を施工したときに要する時間を示す。
【００４２】
（１）吊りボルト露出量計測：１３分
（２）足場組立：４４分
（３）吊りボルトに調整ハンガーを取り付ける：３６分
（４）天井高さの水平レベルの墨出し：１７分
（５）吊りボルト（調整ハンガー）を天井スラブに取り付ける：４１分
（６）調整ハンガーに野縁受けを取り付ける：３９分
（７）野縁受けに野縁を取り付ける：５９分
（８）天井高さ調整：６１分
（９）足場を撤収し、廃材や材料を片付ける：５０分
総時間３６０分
【００４３】
次に、本発明の天井下地施工法によって上記した１人で５０ｍ２  の天井下地を施工したときに要する時間を示す。
【００４４】
▲１▼足場組立：４４分
▲２▼天井高さの水平レベルの墨出し：１７分
▲３▼吊りボルトを天井スラブに取り付ける：２０分
▲４▼セットボルト（ハンガー）と吊りボルトを天井高さ調整具で結合する：４３分
▲５▼天井高さ調整：６分
▲６▼ハンガーに野縁受けを取り付ける：３９分
▲７▼野縁受けに野縁を取り付ける：５９分
▲８▼足場を撤収し、廃材等を片付ける：５０分
総時間２７８分
【００４５】
上記したように、本発明の天井下地施工法によれば、本発明の天井高さ調整具１を用いることで、天井高さの調整代を大きくすることが可能となり、また、▲５▼において天井高さ調整自体に多くの時間を要しなくなるから、従来（１）の作業を不要にすることができることと、従来（８）で６１分もかかっていた天井高さ調整が本発明▲５▼で極めて短時間で行うことができることにより、従来に較べて総時間を２２．８％短縮することが可能となった。
【００４６】
また、本発明の天井高さ調整具１は、上記したように天井高さの調整代を大きくできるから、調整代の範囲内において段階状に該調整代を変更することで、例えば傾斜した天井下地を施工することも可能であり、また、既設の天井部を改装する際に大幅に天井高さが変更された場合にも、吊りボルトＢ１、セットボルトＢ２、天井高さ調整具１、ハンガーＱをそのまま使用して対応可能となる。
【００４７】
なお、本発明の天井高さ調整具１は、上記実施例に限らず例えば図４及び図５のように変形してもよい。図４及び図５に示す天井高さ調整具１１は、挿入部２の内面で吊りボルトＢ１とセットボルトＢ２の挿入位置の間、つまり図１〜図３に示した抜止部３，３間の水平方向中間位置に、移動規制部５を設けている。
【００４８】
挿入部２内において例えば吊りボルトＢ１に対してセットボルトＢ２の螺合が小さいとき、吊りボルトＢ１は挿入部２内において水平方向に移動しやすくなり、天井下地の水平安定性が低下する可能性がある。このとき、移動規制部５を設けておくことで、吊りボルトＢ１とセットボルトＢ２の互いの螺合部分が小さい場合であっても、各々の水平方向への移動が規制され、従って天井下地の水平安定性を維持することができる。
【００４９】
さらに、上記実施例では、天井高さ調整具１，１１は、板状部材の中央部を長円状に折り曲げて挿入部２を形成し、両端部を開放した状態で吊りボルトＢ１とセットボルトＢ２を該開放した両端部から挿入し、螺子１Ｂを用いて結合するようにしていたが、これに代えて筒状体としてもよい。
【００５０】
この場合、筒状体の開口両端の一方から吊りボルトＢ１の他端を、開放両端の他方からセットボルトＢ２の他端を、各々抜止部３及び互いの螺子部分と螺合させながら挿入する。このように構成した場合も、上記と同等の作用効果を得ることができる。
【００５１】
【発明の効果】
以上のように、本発明の天井高さ調整具は、一方のボルトと他方のボルトとが互いに螺合状態で挿入される挿入部と、この挿入部の内面に形成され、一方及び他方のボルトの螺子部分に係合する抜止部とを備えたので、互いの結合は非常に強固になると共に、強固に結合した状態で大幅な天井高さ調整が行える。
【００５２】
また、本発明の天井高さ調整具は、上記構成において、挿入部の内外面を貫通した窓部を形成したので、一方のボルトと他方のボルトの螺合状態や螺合位置を確認して安全に使用することができると共に、どの程度調整したかを容易に把握することもできる。
【００５３】
また、本発明の天井高さ調整具は、上記構成において、一方及び他方のボルトの挿入部内での移動を規制するための移動規制部を該挿入部内の内面に形成したので、互いに螺出する方向に大きく調整して螺合部分が非常に小さくなった場合であっても、挿入部内にあるボルトの水平方向への移動を規制することができ、従って天井下地の水平方向の安定性が維持できる。
【００５４】
また、本発明の天井下地施工法は、天井スラブに一方のボルトを取り付け、予めハンガーと一体とした他方のボルトの該ハンガーを取り付けた側と反対の端部を、一方のボルトの天井スラブと反対の端部に対して天井高さ調整具を用いて結合し、天井高さ調整具により天井高さを調整した後、ハンガーに野縁受けを取り付け、野縁受けに野縁を取り付けるので、熟練作業者でなくても精度のよい作業が行えると共に、極めて簡便に作業が行え、この結果、天井下地施工の全体作業時間を短縮することができる。
【図面の簡単な説明】
【図１】本発明の天井高さ調整具を示し、（ａ）は斜視図、（ｂ）は平面方向から見た図、（ｃ）は（ｂ）の右側面方向から見た図、（ｄ）は（ｂ）の左側面方向から見た図、（ｅ）は（ｂ）の正面方向から見た図、である。
【図２】本発明の天井高さ調整具の使用状況を示す図である。
【図３】本発明の天井高さ調整具を用いた本発明の天井下地施工法によって施工した天井下地状況を示す図。
【図４】本発明の天井高さ調整具の他の構成を示し、（ａ）は正面方向から見た図、（ｂ）は平面方向から見た図、である。
【図５】本発明の天井高さ調整具の他の構成における使用状況を示す平面方向から見た図である。
【符号の説明】
１  天井高さ調整具
１Ａ  螺子孔
１Ｂ  螺子
２  挿入部
３  抜止部
４  窓部
５  移動規制部
Ｂ１  吊りボルト（一方のボルト）
Ｂ２  セットボルト（他方のボルト）
【図１】
2004176275.tif 000003
【図２】
2004176275.tif 000004
【図３】
2004176275.tif 000005
【図４】
2004176275.tif 000006
【図５】
2004176275.tif 000007